(57)【要約】      （修正有）【課題】操作性を向上させた医療用の収容袋を提供する。【解決手段】保存容器を収容するための収容袋１は、互いに対向して配置されたシート状部材７、８における長手方向沿いの両端部が接合されており、シート状部材の両端部を接合する接合部６には、短手方向における外側の端部にＶ字状の切欠き又は切込み４ａ〜４ｄが設けられることを特徴とする。【選択図】図１
0003196097.tif 000002
【実用新案登録請求の範囲】
【請求項１】
保存容器を収容するための収容袋であって、互いに対向して配置されたシート状部材における長手方向沿いの両端部が接合されており、
シート状部材の両端部を接合する接合部には、短手方向における外側の端部にＶ字状の切欠き又は切込みが設けられる、医療用の収容袋。
【請求項２】
Ｖ字状の切欠き又は切込みは、シート状部材の長手方向沿いに複数設けられている、請求項１に記載の収容袋。
【請求項３】
Ｖ字状の切欠き又は切込みは、短手方向に沿って互いに対向するようにシート状部材の両側の接合部に設けられている、請求項１又は２に記載の収容袋。
【請求項４】
Ｖ字状の切欠き又は切込みが形成された接合部の短手方向幅は、２ｍｍ以上３ｍｍ以下である、請求項１から３のいずれか１つに記載の収容袋。
【請求項５】
Ｖ字状の切欠き又は切込みの短手方向幅は、１ｍｍ以上３ｍｍ以下である、請求項１から４のいずれか１つに記載の収容袋。
【請求項６】
Ｖ字状の切欠きは、短手方向の中央側に設けられたＶ字形状を有するＶ字部と、短手方向に平行に延びるようにＶ字部の外側に接続された直線部とを備える、請求項１から５のいずれか１つに記載の収容袋。
【考案の詳細な説明】
【技術分野】
【０００１】
本考案は、保存容器を収容するための医療用の収容袋に関する。
【背景技術】
【０００２】
生体性物質などを保存した保存容器を収容するための収容袋が種々開発されている（例えば、特許文献１）。
【０００３】
これらの収容袋に保存容器を収容して、収容袋を封止（シール）することで、保存容器内の内容物の飛散を防止しながら、例えば、冷凍保存などの手法により、保存容器を保管することができる。
【先行技術文献】
【特許文献】
【０００４】
【特許文献１】特許第４８８２４９４号
【考案の概要】
【考案が解決しようとする課題】
【０００５】
しかしながら、昨今では、特許文献１のような収容袋に関して、収容袋の操作性を向上させる工夫等を行うことが求められている。
【０００６】
従って、本考案の目的は、操作性を向上させた医療用の収容袋を提供することにある。
【課題を解決するための手段】
【０００７】
上記目的を達成するために、本考案は以下のように構成する。
【０００８】
本考案の第１態様によれば、保存容器を収容するための収容袋であって、互いに対向して配置されたシート状部材における長手方向沿いの両端部が接合されており、
シート状部材の両端部を接合する接合部には、短手方向における外側の端部にＶ字状の切欠き又は切込みが設けられる、医療用の収容袋を提供する。
【０００９】
本考案の第２態様によれば、Ｖ字状の切欠き又は切込みは、シート状部材の長手方向沿いに複数設けられている、第１態様に記載の保存容器の収容袋を提供する。
【００１０】
本考案の第３態様によれば、Ｖ字状の切欠き又は切込みは、短手方向に沿って互いに対向するようにシート状部材の両側の接合部に設けられている、第１態様又は第２態様に記載の保存容器の収容袋を提供する。
【００１１】
本考案の第４態様によれば、Ｖ字状の切欠き又は切込みが形成された接合部の短手方向幅は、２ｍｍ以上３ｍｍ以下である、第１態様から第３態様のいずれか１つに記載の保存容器の収容袋を提供する。
【００１２】
本考案の第５態様によれば、Ｖ字状の切欠き又は切込みの短手方向幅は、１ｍｍ以上３ｍｍ以下である、第１態様から第４態様のいずれか１つに記載の保存容器の収容袋を提供する。
【００１３】
本考案の第６態様によれば、Ｖ字状の切欠きは、短手方向の中央側に設けられたＶ字形状を有するＶ字部と、短手方向に平行に延びるようにＶ字部の外側に接続された直線部とを備える、第１態様から第５態様のいずれか１つに記載の保存容器の収容袋を提供する。
【考案の効果】
【００１４】
本考案の収容袋は、操作性を向上させた医療用の収容袋を提供することができる。
【図面の簡単な説明】
【００１５】
【図１】実施形態にかかる収容袋の斜視図
【図２】実施形態にかかる収容袋の断面図（図１のＣ―Ｃ断面）
【図３】実施形態の変形例にかかる収容袋の切欠き周辺の拡大図
【図４】実施形態の変形例にかかる収容袋の製造方法の一例を説明するための拡大図
【考案を実施するための形態】
【００１６】
以下に、本考案にかかる実施形態ついて、図面に基づいて詳細に説明する。
【００１７】
（実施形態）
本考案の実施形態にかかる収容袋１について、図１、２を用いて説明する。図１、２は、実施形態にかかる収容袋１の概略図である。図１、２に示される収容袋１は、保存容器５を収容するためのシート状の袋であり、各種の医療用途（再生医療用途を含む）に用いられる。図１は、保存容器５が収容されていない状態を示し、図２は、保存容器５が収容された状態を示す（図１のＣ−Ｃ断面に対応）。収容袋１に収容する保存容器５の形状としては、大略円柱形状を主に想定している。また、保存容器５に保存する対象物としては、ＤＮＡや細胞などの各種生体性物質を主に想定している。このような生体性物質の保存時には、冷凍や冷蔵といった低温環境下で、かつ周囲に漏洩しないような状態での保存が求められる。なお、本明細書における生体性物質には、例えば、血液成分（血液・臍帯血・赤血球等）、体液（骨髄液等）、細胞（生殖細胞・ｉＰＳ細胞・ＥＳ細胞・幹細胞・稀少細胞等）、ＤＮＡ、ＲＮＡ、ウィルス、細菌などが含まれる。
【００１８】
実施形態における収容袋１は、１枚のシート状部材を折り曲げることで形成されている。具体的には、１枚の矩形上のシート状部材を、図１に示すように折り曲げた後、互いに対向して配置されたシート状部材（第１シート状部材７と第２シート状部材８）における長手方向Ａ沿いの両端部を接合する。すなわち、第１、第２シート状部材７、８の短手方向Ｂにおける両端部を、第１、第２シート状部材７、８の長手方向Ａに沿って互いに接合する。図１では、接合部６の境目を２点鎖線で表している。
【００１９】
このように構成される収容袋１は、図１、２に示すように、開口部２と、底部３とを備えている。
【００２０】
開口部２は、保存容器５を挿入するための開口を形成した第１、第２シート状部材７、８の長手方向Ａの一端に相当する。開口部２を形成するには、シート状部材７、８の長手方向Ａにおける両端部２ａ、２ｂ（第１シート状部材７の一端２ｂ、第２シート状部材８の一端２ａ）を、図１に示すように互いに対向するように重ね合わせることで形成する。開口部２の短手方向Ｂにおける両端部では、第１、第２シート状部材７、８が互いに接合されており、接合部６を形成している。このように開口部２の両端部に接合部６を設けて、開口部２の中央部には接合部６を設けないことで、開口部２の中央部を開放し、保存容器５を挿入するための開口を形成している。
【００２１】
底部３は、収容袋１に挿入された保存容器５の底面を支持する部分である（図２参照）。底部３は、図１に示されるように、第１、第２シート状部材７、８の長手方向Ａの他端に相当する。底部３を形成するには、シート状部材の短手方向Ｂに延びるライン３ａで折り曲げる（第１シート状部材７と第２シート状部材８を対向させるよう配置する）とともに、折り曲げた部分において、第１、第２シート状部材７、８の長手方向Ａ沿いの両端部を互いに接合して、接合部６を形成する。これにより、底部３が形成される。
【００２２】
接合部６は、上述したように、第１、第２シート状部材７、８の互いに対向する側の面における長手方向Ａ沿いの端部（短手方向Ｂの端部）に設けられている。また、実施形態における接合部６は、図１に示すように、第１、第２シート状部材７、８の対向する側の面における長手方向Ａの全長にわたって設けられている。第１、第２シート状部材７、８の対向する側の面における長手方向Ａの全長にわたって接合部６が設けられることで、図１に示される収容袋１においては、開口部２のみが開口し、その他の部分は接合部６によって接合され、閉塞した構造となる。
【００２３】
接合部６は、第１、第２シート状部材７、８が互いに対向する内側（裏面側）にのみ設けられており、互いに対向せず外部に露出した外側（表面側）には設けられていない。
【００２４】
実施形態では、収容袋１を構成するシート状部材として、ＥＦＥＰ層とポリイミド層の２層による構造を採用している。ＥＦＥＰは融着性物質であり、ポリイミドは非融着性物質である。実施形態では、このような構造のシート状部材を、ポリイミド層が外側に露出し、ＥＦＥＰ層が内側に位置されるようにして配置している。すなわち、内側に配置したＥＦＥＰ層を融着して接合することで、シート状部材の接合部６を形成する一方、外側に配置したポリイミド層では融着・接合しないようにしている。当該構造は、特に極低温耐性の観点で優れており、例えば、液体窒素の沸点である-１９６℃という温度に対しても耐性を有する。
【００２５】
ここで、シート状部材７、８には、複数の切欠き４ａ−４ｄが設けられている。具体的には、シート状部材７、８の短手方向Ｂにおける外側の端部に、４つのＶ字状の切欠き４ａ−４ｄが設けられている。これらの切欠き４ａ−４ｄは、後述するように、保存容器５の収容後において、保存容器５を収容袋１から取り出す際に容易に取り出せるようにするためのものである。
【００２６】
図１に示すように、切欠き４ａ、４ｂは、シート状部材７、８の短手方向Ｂ沿いに互いに対向するように配置されている。同様に、切欠き４ｃ、４ｄは、シート状部材７、８の短手方向Ｂ沿いに互いに対向するように配置されている。切欠き４ａ、４ｃは、シート状部材７、８における短手方向Ｂの一方側（図２中の左側）の接合部６に設けられており、切欠き４ｂ、４ｄは、シート状部材７、８における短手方向Ｂの他方側（図２中の右側）の接合部６に設けられている。切欠き４ａ、４ｂは、シート状部材７、８の長手方向Ａにおいて、切欠き４ｃ、４ｄよりも開口部２に近い側に配置されている。
【００２７】
これらの切欠き４ａ−４ｄはＶ字形状を有することにより、図２に示すような保存容器５の収容後において、収容袋１の使用者がはさみ等の道具を使用することなく、切欠き４ａ−４ｄのいずれかから収容袋１を引き裂いて開封することが可能に構成される。
【００２８】
接合部６は後述するように、保存容器５を収容袋１に挿入し、収容袋１をシールした後における収容袋１のシール性を確保する部分である。よって、接合部６による収容袋１のシール性を向上させるためにも、接合部６の短手方向幅Ｗ１を所定長さ確保することが好ましい（例えば、４ｍｍ以上５ｍｍ以下）。一方で、接合部６において切欠き４ａ−４ｄが形成される箇所では、短手方向幅が狭くなるので、その部分の幅Ｗ２が所定長さ（例えば、２ｍｍ以上３ｍｍ）となるように、切欠き４ａ−４ｄの形状・長さを設定すればよい（例えば、１ｍｍ以上３ｍｍ以下の幅）。
【００２９】
実施の形態１では、平面視における切欠き４ａ−４ｄの形状が正三角形であり、短手方向幅が１ｍｍ以上３ｍｍ以下となるように構成されているが、このような形状・長さに限定されない。
【００３０】
このような構成において、収容袋１内に大略円柱形の保存容器５を収容するときの動作について、図１、２を用いて説明する。
【００３１】
保存容器５を収容袋１内に挿入する際には、まず、開口部２を通して、保存容器５の下部（底部）から収容袋１内に挿入する。その後、保存容器５を底部３に到達するまで押し込む。保存容器５を底部３まで押し込んだ状態にて開口部２側を封止することにより、収容袋１内に保存容器５が封止される。このようにして、保存容器５を収容袋１内に保存することができる。
【００３２】
収容袋１内の保存容器５は所定の期間保存された後、収容袋１から取り出されて使用される。このとき、収容袋１の操作者は、Ｖ字状のいずれかの切欠き４ａ−４ｄに沿って収容袋１を短手方向Ｂに引くことにより、収容袋１を短手方向Ｂに沿って切り取って開封することができる。これにより、収容袋１から保存容器５を取り出すことができる。
【００３３】
このように、Ｖ字状の切欠き４ａ−４ｄを設けることにより、はさみ等の道具を使用することなく、保存容器５を収容袋１から取り出すことができ、収容袋１の操作性を向上させることができる。特に医療の分野では、細胞などを保存した保存容器５を収容する収容袋１は、クリーンルームで取り扱われることが多く、原則的にはさみ等の道具の使用が禁止される。このような場合に、実施の形態１における収容袋１であれば、はさみ等の道具を使用することなく収容袋１の開封および保存容器５の取り出しを行うことができるため、収容袋１の操作性・利便性をより向上させることができる。はさみ等を用いて開封を行う場合には、操作者が装着しているグローブに誤って傷が付き、コンタミネーションが生じる可能性があるのに対して、実施の形態１の収容袋１によればそのようなリスクも回避することができる。さらに、医療の分野の中でも特に再生医療の分野では、収容袋１をよりクリーンな状態で取扱うことが要求される。よって、収容袋１が再生医療用の収容袋として使用される場合には、操作性の向上効果とコンタミネーションリスクの低減効果をより一層発揮することができる。
【００３４】
上述したように、実施形態にかかる収容袋１によれば、保存容器５を収容するための収容袋１であって、互いに対向して配置されたシート状部材７、８における長手方向Ａ沿いの両端部が接合されており、シート状部材７、８の両端部を接合する接合部６には、短手方向Ｂにおける外側の端部にＶ字状の切欠き４ａ−４ｄが設けられる。これにより、保存容器５の収容後において、操作者が切欠き４ａ−４ｄに沿って収容袋１を手で引き裂くことにより、収容袋１を開封して保存容器５を取り出すことができる。このように、はさみ等の道具がなくとも、保存容器５を収容袋１から取り出すことができるため、収容袋１の操作性を向上させることができる。特に医療用の収容袋１として、操作性の向上効果をより一層発揮することができる。
【００３５】
また、実施形態の収容袋１によれば、Ｖ字状の切欠き４ａ−４ｄは、シート状部材７、８の長手方向Ａ沿いに複数設けられている。これにより、保存容器５の収容後において、操作者は複数の切欠き４ａ−４ｄの中から、開封に用いる切欠きを選択することができる。このため、収容袋１の操作性および利便性を向上させることができる。
【００３６】
さらに、実施形態の収容袋１によれば、Ｖ字状の切欠き４ａ−４ｄは、短手方向Ｂ沿いに互いに対向するように、シート状部材７、８の両側の接合部６に設けられている。このように、切欠き４ａ−４ｄを左右対称な位置に配置することにより、例えば収容袋１を量産する際に効率的に生産することができる。
【００３７】
さらに、実施形態の収容袋１によれば、Ｖ字状の切欠き４ａ−４ｄが形成された接合部６の短手方向幅は、２ｍｍ以上３ｍｍ以下である。これにより、接合部６による収容袋１内の封止の信頼性を確保することができる。
【００３８】
さらに、実施形態の収容袋１によれば、Ｖ字状の切欠き４ａ−４ｄの短手方向幅は、１ｍｍ以上３ｍｍ以下である。
【００３９】
また、実施形態の収容袋１は、再生医療用の収容袋１である。再生医療用途は特に衛生面での条件が厳しく、操作者は、手袋等を使用した収容袋１の取扱いが求められる。よって、はさみ等の道具を用いずに開封可能とする切欠き４ａ−４ｄによる操作性の向上効果をより一層発揮することができる。
【００４０】
なお、本考案は上記実施形態に限定されるものではなく、その他種々の態様で実施できる。例えば、上記実施形態では、Ｖ字状の切欠き４ａ−４ｄを設ける場合について説明したが、このような場合に限らない。例えば、Ｖ字状の切欠き４ａ−４ｄではなく、シート状部材７、８をはさみ等で切ったような単なる切込みを設けてもよい。このような切込みを設けた場合でも、Ｖ字状の切欠き４ａ−４ｄを設けた場合と同様に、はさみ等の道具を使用することなく収容袋１を開封することができるため、収容袋１の操作性を向上させることができる。
【００４１】
また、前記では、切欠き４ａ−４ｄの全体がＶ字状である場合について説明したが、このような場合に限らない。具体的には、切欠き４ａ−４ｄにおいて、少なくとも短手方向Ｂ沿いの中央側にＶ字形状を有していればよい。すなわち、当該中央側にＶ字を有するものであれば、当該Ｖ字形状の外側にＶ字形状とは異なる任意の形状（例えば、短手方向Ｂに平行に延びる直線形状）が付加されていてもよい。そのような形状の切欠きが設けられた収容袋１０を図３に示す。図３は、収容袋１０に設けられた４つの切欠きのうち、１つの切欠き１４に関する拡大図である。他の３つの切欠きは、同様の形状を有するため、図示を省略する。図３に示すように、切欠き１４は、Ｖ字部１５と、直線部１６とを備える。Ｖ字部１５は、短手方向Ｂの中央側に設けられたＶ字形状を有する部分である。直線部１６は、短手方向Ｂに平行に延びるようにＶ字部１５の外側に接続された部分である。このような構成であっても、内側にＶ字部１５を有することにより、前述した実施形態の収容袋１と同様に、はさみ等の道具を使用することなく収容袋１０を開封することができ、収容袋１０の操作性を向上させることができる。切欠き１４がこのような直線部１６を有する場合、収容袋１０を生産する際により効率的に生産することができる。具体的には、収容袋１０を生産する際には、図４に示すように、短手方向Ｂに沿って複数の収容袋１０ａ、１０ｂがつなげられた状態から生産される。このような状態にて、まず、２つの収容袋１０ａ、１０ｂの互いに隣接する部分を熱融着することで、接合部６ａ、６ｂを形成する。その後、接合部６ａ、６ｂの内側に切欠きを設ける。この切欠きは、前述した図３に示す切欠き１４を２つ線対称に並べたものに対応する（切欠き１４ａ、１４ｂとする）。このような状態にて、収容袋１０ａおよび収容袋１０ｂを、長手方向Ａと同じ方向である分割ラインＤに沿って切り取ることにより、収容袋１０ａ、１０ｂに分割することができる。このような方法により、図３の切欠き１４と同形状の切欠き１４ａ、１４ｂを有した収容袋１０ａ、１０ｂを生産することができる。この生産方法においては、収容袋１０ａ、１０ｂを分割ラインＤに沿って分割する動作が含まれる。この分割ラインＤは、製造上の誤差によって短手方向Ｂ沿いにずれる可能性がある。これに対して、図３に示す切欠き１４は、短手方向Ｂに平行に延びる直線部１６を有しており、図４に示すように分割ラインＤは直線部１６をまたぐ位置に定められている。直線部１６は分割ラインＤに対して線対称であることから、分割ラインＤが短手方向Ｂに沿って多少ずれたとしても、切欠き１４ａ、１４ｂの形状を概ね同じ形状に維持することができる。これにより、直線部１６を設けずにＶ字部１５のみで形成した場合に比べて、切欠きの形状を安定させることができ、収容袋１０をより効率的に生産することができる。
【００４２】
また、前記では、シート状部材７、８における切欠き４ａ−４ｄを除く部分が真っ直ぐな形状（ストレート形状）である場合について説明したが、このような場合に限らず、各種形状を有してもよい。
【００４３】
また、前記では、シート状部材７、８がＥＦＥＰ層とポリイミド層の２層構造である場合について説明したが、シート状部材７、８の材質や積層数はこれに限らない。例えば、単層や３層以上の構造を採用してもよい。また、２層以上の多層構造の場合には、例えば、外側に露出する最外層と、内側に配置して接合を行う最内層の材料に関して、最外層の材料の融点が最内層の材料の融点よりも高くなるように、それぞれの層の材料を選択してもよい。このような融点の違いを利用した材料の選択（例えば、熱可塑性樹脂）により、第１、第２実施形態と同様の構造を、ＥＦＥＰやポリイミドに限らずに実現することができる。例えば、最外層の材料として、融点の高い物質であるポリアミド（融点は例えば２２５℃）を採用し、最内層の材料として融点の低い物質であるポリエチレン（融点は例えば１２０℃）を採用し、例えば１９０℃ほどの温度にて加熱することで、最内層であるポリエチレン層のみを融着させることができる。
【００４４】
また、前記では、保存容器５の形状として大略円柱形状を主に想定していたが、保存容器５の形状はこれに限らず例えば、大略四角柱形状などであってもよい。
【００４５】
なお、上記様々な実施形態のうちの任意の実施形態を適宜組み合わせることにより、それぞれの有する効果を奏するようにすることができる。
【産業上の利用可能性】
【００４６】
本考案は、例えば生体性物質を冷蔵保存するための保存容器を収容する医療用の収容袋に適用することができる。
【符号の説明】
【００４７】
１、１０、１０ａ、１０ｂ  収容袋
２  開口部
３  底部
４ａ、４ｂ、４ｃ、４ｄ、１４、１４ａ、１４ｂ  切欠き
５  保存容器
６、６ａ、６ｂ  接合部
７  第１シート状部材
８  第２シート状部材
【図１】
0003196097.tif 000003
【図２】
0003196097.tif 000004
【図３】
0003196097.tif 000005
【図４】
0003196097.tif 000006